(57)【要約】      （修正有）【課題】締め付けによって股関節および骨盤を固定あるいは矯正する股関節補助バンドを装着してもファッション性を損なわない股関節補助具付カバーを提供する。【解決手段】帯状の股関節補助バンドと、その股関節補助バンドを覆う装飾性布状のカバーとで構成され、伸縮性素材を使用している骨盤ベルトを、装飾性布状のカバーの内側に取り付けたベルト通し部に通して取付けされており、股関節補助バンドから装飾性布状のカバーの取り外しを自在にできるように装飾性布状のカバーの内側にベルト通し部を設ける。【選択図】図１
0003165039.tif 000002
【実用新案登録請求の範囲】
【請求項１】
股関節および骨盤の矯正、及び下半身のダイエットをするために、股関節付近に巻きつけて股関節および骨盤を固定あるいは矯正する帯状の股関節補助バンドと、その股関節補助バンドを覆う布状のカバーとで構成され、伸縮性素材を使用している骨盤ベルトを、前記布状の装飾性カバーに取着されており、前記股関節補助バンドから前記カバーの取り外しを自在にできるようにしている構造であることを特徴とする股関節補助具用デザイン性カバー。
【請求項２】
前記股関節補助バンドを覆う装飾性カバーは、２〜５分割されて、各分割の間にはプリーツ部分を設けて、内面側に股関節補助バンドの収容部材を１〜６箇所取り付けて、カバーの幅２００ｍｍ〜５００ｍｍであり、生地として綿、麻、ウール、化学繊維で、表面に装飾を施していることを特徴とする請求項１に記載股関節補助具用デザイン性カバー。
【請求項３】
股関節補助バンドは、伸縮性のゴム帯のベルトであって、幅１００ｍｍ〜２００ｍｍで、長さ８００ｍｍ〜１３００ｍｍで、その両端に雄雌の両面ファスナを取り付けていることを特徴とする請求項１又は請求項２に記載股関節補助具用デザイン性カバー。
【請求項４】
股関節補助バンドから前記カバーの取り外しを自在にできるようにしている構造は、カバーの内側の面にバンドト収容部材を、筒状に形成された部材で、一辺又は二辺で中心部付近に筒状を固着して、筒の幅をバンドの幅より１０ｍｍ〜３０ｍｍ大きくしていることを特徴とする請求項１〜請求項３に記載股関節補助具用デザイン性カバー。
【請求項５】
前記の股関節補助バンドカバーの外側表面にデザイン性を設けるために、カバーにギャザー部、収容ポケット部、リボン部、紐部の一種、または二種以上を有した構造であることを特徴とする請求項１〜請求項４に記載の股関節補助具用デザイン性カバー。
【請求項６】
前記の股関節補助バンドカバーの外側表面に機能性を持たせるために、カバーの前面の下部に正方形、長方形、半円形、楕円形の布地を長さ３００ｍｍ〜５００ｍｍに取り付けた構造であることを特徴とする請求項１〜請求項４に記載の股関節補助具用デザイン性カバー。
【考案の詳細な説明】
【技術分野】
【０００１】この考案は、締め付けによって股関節および骨盤を固定あるいは矯正する股関節補助バンドと装飾性のカバーを備えた股関節補助バンドに関する。
【背景技術】
【０００２】従来、締め付けによって骨盤を固定したり、矯正する骨盤バンドが多く存在している。しかし、このような骨盤バンドは、ファッション性に乏しいため、衣服着用前に、素肌に直接あるいは下着の上から腰部付近に装着し、その上に衣服を着用して目立たないように利用されている。したがって、骨盤バンドを外すために衣服を脱ぐこととなり不便であった。これに対して、骨盤バンドを取付けることのできる衣服が提案されている。【０００３】これによって、利用者は衣服の着用と同時に骨盤バンドを装着でき、骨盤バンドを着脱する際はその衣服を着替えるだけで着脱できる。しかし、上記衣服は骨盤バンドを取付けることのできる専用の衣服であるため、既に所有している衣服等に対応することはできず、利用者を満足させるには至らなかった。【０００４】骨盤ベルトは、手軽で且つファッション性を損なわずに腰痛を防止又は緩和する腰痛ベルトを装着できる衣服の提供している（特許文献１参照）。【０００５】  衣服を着用した後に、締め付けによって骨盤を固定あるいは矯正する骨盤バンドを着用した衣服の上から装着してもファッション性を損なわない骨盤矯正エプロンを提供している。（特許文献２参照）。【０００６】  スポーツ用ズボン等のスポーツ用衣服に一体に腰用保護具を付設でき、その締め具合を容易に調節でき、腰痛に対して腰を保護して腰の負担を軽減でき、軽量であって、体に付けたときの違和感を軽減でき、スポーツを行うのに最適な腰用保護具付きスポーツ用衣服を提供されている。（特許文献３参照）。【０００７】  骨盤サポートバンド付きズボンであって、このタイプのズボンの利点をそのまま活かしつつ、骨盤サポートバンドによる骨盤の締めつけ力調整や使用者の体格に応じたバンド周長の調整を行える骨盤サポートバンド付きズボンが提供されている。（特許文献４参照）。
骨盤矯正バンドはたくさんあるが、股関節を補助することによって、股関節および骨盤を改善するバンドは他には見受けられなかった。又従来の骨盤の矯正バンドのみでは股関節の矯正補助を行うことは十分に出来ない。このバンドに使用したデザイン性カバーも存在していない。
【先行技術文献】
【特許文献】
【０００８】
【特許文献１】特開２００２−２０９０８号公報
【特許文献２】実用新案登録第３１１９５０８号公報
【特許文献３】特開平１０−４６４０９号公報
【特許文献４】特開２００８−１９６０８９号公報
【考案の概要】
【考案が解決しようとする課題】
【０００９】そこで本考案では、衣服の代用として着用した後に、締め付けによって股関節および骨盤を固定あるいは矯正する股関節補助バンドを装着してもファッション性を損なわない股関節補助具付カバーの提供を目的とする。
【課題を解決するための手段】
【００１０】股関節および骨盤の矯正、及び下半身のダイエットをするために、股関節付近に巻きつけて股関節および骨盤を固定あるいは矯正する帯状の股関節補助バンドと、その股関節補助バンドを覆う布状のカバーとで構成され、伸縮性素材で構成されている股関節補助バンドを、前記布状の装飾性カバーに取着されており、前記股関節補助バンドから前記カバーの取り外しを自在にできるようにしている構造である股関節補助具用デザイン性カバーである。【００１１】前記股関節補助バンドを覆う装飾性カバーは、１〜５分割されて、各分割の間にはプリーツ部分を設けて、内面側に骨盤ベルトの収容部材を１〜６箇所取り付けて、カバーの幅３００ｍｍ〜５００ｍｍであり、生地として綿、麻、ウール、化学繊維で、表面に装飾を施している。【００１２】股関節補助バンドは、伸縮性のゴム帯のベルトであって、幅１００ｍｍ〜２００ｍｍで、長さ８００ｍｍ〜１１００ｍｍで、その両端に雄雌の両面テープを取り付けている。【００１３】股関節補助バンドから前記カバーの取り外しを自在にできるようにしている構造は、カバーの内側の面にベルト収容部材を、筒状に形成された部材で、一辺又は二辺で中心部付近に筒状を固着して、筒の幅をベルトの幅より１０ｍｍ〜３０ｍｍ大きくしている。【００１４】前上記の股関節補助バンドカバーの外側表面にデザイン性を設けるために、ギャザー構造、あるいは収容ポケット部を有した構造である。【００１５】ここの考案は、股関節付近に巻き付けて股関節および骨盤を固定あるいは矯正する帯状の股関節補助バンドと、腰部付近に巻きつける布状のカバーとで構成し、前記股関節補助バンドを伸縮性材料で構成し、前記骨盤バンドの両端部付近に、一端部側の一定範囲の長手方向任意の位置に他端部側を着脱自在に固定する固定具を配設し、前記カバー本体上部に、前記カバーの内側に大部分を配した前記股関節補助バンドを長手方向にスライド可能に取付けるバンド取付部を備えたことを特徴とする。【００１６】前記腰部付近に巻きつける布状のカバー本体は、普通人の平均的なウェスト以上の長さを有する布体で形成したことを含む。
上記伸縮性材料は、弾力性を有するゴム等の弾力性部材、あるいはゴム網によって伸縮性を有する布帛で形成することを含む。【００１７】前記カバー本体の内側に大部分を配した前記股関節補助バンドは、股関節補助バンドの全部をカバー本体の内側に配すること、あるいは股関節補助バンドの長さ方向の一部を除くほとんどの部分をカバー本体の内側に配することを含む。
固定具は、面ファスナ、ホック、バックルあるいはスナップボタンで構成することを含む。【００１８】これにより、股関節補助バンドを装着し、装着した股関節補助バンドの外側でカバーを着用することができるため、既に所有している衣服を着用した後に、骨盤ベルトを容易に着脱でき、利用者の満足度を向上させることができる。【００１９】また、装着した股関節補助バンドの外側でカバーを着用するため、ファッション性に乏しい股関節補助バンドを装着しても、外観上はカバーしか確認できず、ファッション性を損なうことなく骨盤ベルトを装着することができる。したがって、ファッションに関心のある利用者の満足度を向上することができる。【００２０】この考案の態様として、前記カバー本体の幅方向長さを、前記股関節補助バンド以上の長さに形成することができる。【００２１】また、この考案の態様として、前記固定具を、前記両端部付近に配設した面ファスナで構成することができる。
面ファスナは可撓性を有するため、骨盤ベルトを締め付けた場合であっても、面ファスナが身体に沿って湾曲し良好な装着感を得ることができる。【００２２】また、この考案の態様として、前記骨盤バンドの長さ方向中央付近に、携帯用暖房具を収容する収容部を備えることができる。【００２３】これにより、股関節補助具付きカバーを着用するだけで、外観上のファッション性を損なうことなく股関節および骨盤を固定あるいは矯正できるとともに、腰部の脊椎付近を暖めることができる。なお、上半身背中側の脊椎付近を暖めることによって、体全体を暖めることができる。したがって、利用者の満足度をさらに向上させることができる。【００２４】また、この考案の態様として、前記カバー本体を、幅方向に左部、後部、及び右部をこの順に配して構成し、前記後部の幅方向長さを、前記左部及び右部の幅方向長さより長く形成し、前記カバー本体の左部及び右部のそれぞれの幅方向外側上端部付近に、腰部付近にカバー本体を締め付けて固定する帯状の固定リボンを備えてもよい。【００２５】前記２本の固定リボンのうち一方の固定リボンの長さを、前記カバー本体の幅方向長さ以上の長さに形成し、他方の固定リボンの長さを、前記カバー本体の幅方向長さの半分以上で、前記後部の側方上端部付近に、前記固定リボンのうちいずれか一方の通過を許容する固定リボン通過を備えることができる。【００２６】なお、上記前記カバー本体は、左部、後部、及び右部を一枚の布状体で構成すること、あるいは別体で構成したそれぞれを接続して一体化して構成する。【００２７】また、股関節補助バンドのカバーを普通人が着用した場合、左脇部及び右脇部が脇腹部分付近となるように着用できるため、露出部分が股関節補助バンドのカバーを着用した利用者の脇腹付近であるため目立ちにくく、股関節補助バンドのカバーを着用した利用者のファッション性を損なうことはない。【００２８】これにより、前記左部及び右部の幅方向長さを上記長さに形成したことによって、左部及び右部のうち幅方向長さの長い方を前側となるようにして腰部付近に股関節補助バンドのカバーを着用した場合、前側となる左部あるいは右部の端部のラインが正面視中央から左右いずれかに偏心するため、股関節補助バンドのカバーのファッション性を向上させることができる。
【考案の効果】
【００２９】この考案により、衣服の上から股関節補助バンドを装着してもファッション性に富んだ股関節補助具付カバーを提供することができる。【００３０】これにより、カバー本体を腰部付近に巻きつけて、２本の固定リボンのうち一方を固定リボン通過孔からカバー本体の外側に通し、他方の固定リボンと締め付けて結ぶことで、容易に股関節補助バンド付きカバーを着用することができる。【００３１】また、固定リボンの長さを上記長さに形成したことによって、２本の固定リボンを締め付けて結んだ結び目が正面視中央から左右いずれかに偏心するため、股関節補助バンド付きカバーのファッション性を向上させることができる。【００３２】また、前記バンド取付部を貫通孔で構成したことによって、股関節補助バンドを取付けるための別部材を必要とせず、股関節補助バンド取付けのための材料及び手間を低減でき、股関節補助バンドのカバーの製造コストを低減できる。
また、固定リボン通過孔を前記貫通孔で構成したことによって、固定リボン通過孔を別途設けるための手間を低減でき、股関節補助バンドのカバーの製造コストを低減できる。
【図面の簡単な説明】
【００３３】
【図１】股関節補助具用デザイン性カバー本体の図。Ａ：正面図  Ｂ：裏面図
【図２】股関節補助具用デザイン性プリーツ付カバー本体の図。Ａ：正面図  Ｂ：裏面図  Ｃ：リボン
【図３】股関節補助バンド図。Ａ：表面、Ｂ：裏面
【図４】股関節補助具用デザイン性カバー本体への股関節補助バンド取り付け図。
【図５】人体への股関節補助バンド装着図Ａ：前面、Ｂ：後面
【図６】人体への股関節補助具用デザイン性カバー付股関節補助バンド装着図Ａ：前面、Ｂ：後面。
【図７】人体への股関節補助具用デザイン性カバー装着図Ａ：前面、Ｂ：後面
【図８】股関節補助具用デザイン性長目カバー本体の正面図。
【図９】股関節補助具用デザイン性長目カバー本体の裏面図。
【図１０】人体への股関節補助具用デザイン性長目カバー付股関節補助バンド装着図Ａ：前面、Ｂ：後面。
【図１１】人体への股関節補助具用デザイン性長目カバー装着図。Ａ：前面、Ｂ：後面
【図１２】股関節補助具用デザイン性プリーツ付カバー本体の装着図。
【図１３】股関節補助具用デザイン性長目スリット付カバー本体の図。Ａ：前面、Ｂ：後面
【図１４】人体への股関節補助具用デザイン性長目スリット付カバー装着図。Ａ：前面、Ｂ：後面
【考案を実施するための形態】
【００３４】この考案の一実施形態を、以下図面を用いて説明する。
まず、図１の股関節補助バンドカバー本体１の正面図を、図３の股関節補助バンド２の説明図を、股関節補助バンド２を股関節補助バンドカバー本体１に取付けた股関節補助バンドカバーの背面図を示す。また股関節補助バンドカバー１、股関節補助バンド２及び股関節補助バンドカバー本体１についても説明する。
【００３５】股関節補助バンドカバー本体１は（図１中右方向）幅８５０ｍｍ×高さ３００ｍｍと１´（図１中左方向）幅４５０ｍｍ×高さ２００ｍｍの長方形の適宜の厚みを有する布帛で構成され、１の両側端上部にそれぞれ帯状の固定紐３を備えている。なお、本実施例において股関節補助バンドカバー本体１と固定紐３とは別体の同材質の布帛を縫着して構成しているが、これに限定されず、一体で構成してもよく、また別材質の部材で構成してもよい。
【実施例１】
【００３６】カバー本体（図１）は、幅８５００ｍｍ×高さ３０００ｍｍの１と幅４５０ｍｍ×高さ２００ｍｍのカバー補助部１´の適宜の厚みを有する二枚の布で構成され、カバー本体１の両側端上部に帯び状の紐３の固定具を備えている。帯び状の紐３はカバー本体１の同素材の布を縫着して構成した。【００３７】カバー本体裏面（図１Ｂ）は、カバー補助部１´に上端から布を折り返した５５ｍｍの位置、左右両端から１０ｍｍの位置に、上下端付近を水平方向に縫着した幅７０ｍｍ×高さ１３５ｍｍの布である２個のベルト通し部４と、カバー本体部１に上端から布を折り返した５５ｍｍの位置、右端から２００ｍｍの位置に、上端付近を水平方向に縫着した幅７０ｍｍ×高さ２７０ｍｍの布であるベルト通し部４´を有し、後述する高さ１２０ｍｍの股関節補助バンドを通過した。【００３８】帯び状の紐３は、幅２５ｍｍの帯状であり、カバー本体１の左右上端部に縫着され、９５０ｍｍの長さに形成した。【００３９】次に股関節補助バンド２の正面図を示す図３Ａと股関節補助バンド２の背面図を示す図３Ｂに基づいて股関節補助バンド２について説明する。【００４０】カバー本体１およびカバー補助部１´に取り付ける股関節補助バンド２（図３Ａ）は幅１０００ｍｍ×高さ１２０ｍｍの伸縮性の素材で構成されており、角部をＲ状に面取りした略長方形の帯状のバンドであり、正面右側には上端８５ｍｍから斜めに切れ込んだポケットと、左側には上端に１１０ｍｍのポケットを有している。バンド装着時には左右のポケットに両手四指を入れ、脇を閉めると軽い上腕の力でバンドをしっかりと固定できる構造となっている。【００４１】股関節補助バンド２の裏面（図３Ｂ）は、滑り止めの加工が施されており、左端には面ファスナーの雄部１２を縫着した。また、股関節補助バンド表面（図３Ａ）に面ファスナーの雌部で構成されており、ヒップサイズ９０ｃｍまでのユーザーに対応できる構造にした。【００４２】次に図４とともに、股関節補助バンド２のカバー本体１およびカバー補助部１´への取付方法について説明する。カバー本体１およびカバー補助部１´のベルト取付部４、４´に股関節補助バンド２の背面側を上に向けベルト取付部４に股関節補助バンド２を貫通させて、カバー本体１およびカバー補助部１´に取り付けた。これにより、股関節補助バンド２をカバー本体に容易に取り付けることができた。【００４３】図４で示すように、上記カバーと股関節補助バンドの構成により、腰部左側から後部へカバー付き股関節補助バンドを回しこみ、腹部前方で股関節補助バンドを面ファスナーによって固定し、カバー本体１を右後方から前方へさらに左後方へ回しこみ、固定紐３を交差させ固定紐を腹部前方で結び装着した。【００４４】次に、図５、図６、図７で、股関節補助バンド２と股関節補助バンドカバー１およびの１´の着用方法についての説明図とともに、着用方法について詳細に説明する。【００４５】まず、図５に示すように、着用した衣服の上から股関節補助バンド中央付近を尾てい骨付近にあてがい、骨股関節補助バンド２の左右ポケットに両手四指を入れ、脇を閉め、上腕の力で股関節を包み込むようにして前方に回しこむ、左が下、右が上と面ファスナーの雄雌がかみ��うように重ね合わせ接合して股関節補助バンド２を装着した。このとき、股関節補助バンド２の両端に適宜の引張力を負荷しながら接合させることによって、股関節補助バンド２は衣服の上から股関節付近に密着すると共に、適宜の締付力で股関節または骨盤を固定あるいは矯正することができた。【００４６】次に、カバー補助部１´が股関節補助バンド２とともに人体に固定されている状態から、カバー本体１を股関節補助バンド２とカバー補助部１´の上から前方に巻きつけ、左後方へ回し、固定紐を交差させ、固定紐を前方へ回しこみ、前方で結んで固定した。【００４７】これを約三ケ月程度の装着により、歩行中、または作業中も股関節および骨盤を一定に固定することができ、大腿部外側に無理な負荷がかかることを防ぐため、脂肪がつきにくくなり、むくみを軽減し、疲労しにくくなった。また、股関節および骨盤を一定に固定することにより、上体の姿勢を矯正し、内臓下垂を防ぎ、月経前症候群、月経痛などを含む女性特有の不定愁訴を改善することができた。【００４８】また、股関節補助バンド２とカバー１および１´を一緒に装着することで、外観上は装飾エプロン状のカバーしか確認できず、着用する衣服のファッション性を損なうことなく股関節補助バンドを装着することができた。【００４９】また、衣服の上から着用できることで、ユーザーの体調や、作業に合わせて股関節補助バンドの締付具合を自在に調整できるようになっている。
【実施例２】
【００５０】図２に示すように、カバー本体は幅４５０ｍｍ×高さ３００ｍｍのカバー本体７と、幅３５０ｍｍ×高さ３００ｍｍのカバー本体８および８´であって、幅１００ｍｍ×高さ３００ｍｍを折り返したプリーツ部１３との合計５部の布とからなり、それに合わせてカバー表面に縫着された３つのリボン通し部と、図４−Ｃに示すような幅（最長）１５０ｍｍ×長さ２０００ｍｍのリボン１４とで構成した。】【００５０】カバー表面（図２Ａ）は、カバー本体７の上右端１０ｍｍの位置、カバー本体７に縫着したカバー本体８の中央の上部と、その左に縫着したカバー本体８´の上右端１０ｍｍの位置にそれぞれ一つずつ、計３つ、幅５０ｍｍ×高さ７０ｍｍの上下端を縫着したリボン通し部を有した。【００５１】カバー裏面（図２Ｂ）には布折り返し部６の下に合わせて、カバー本体部７の右端５０ｍｍの位置、カバー本体７に縫着したカバー補助部８の中央、その左に縫着したカバー補助部８´の右端１０ｍｍの位置にそれぞれ一つずつ、計３つ、幅７０ｍｍ×高さ１３５ｍｍの布のベルト通し部を有した。【００５２】カバー本体７、８および８´の間はそれぞれ布を谷折りにしたプリーツ部に縫着しており、プリーツ部の上端を中央のカバー補助部８のそれぞれ左右上端に縫着することで、カバー本体７、８および８´のそれぞれを接合した。【００５３】図１２に示すように、プリーツ付カバーには幅１２０ｍｍまでの股関節補助バンド２の装着ができ、この構造により、普通人の平均的なヒップサイズより大きいサイズのユーザーにも外観上ファッション性を損なわず、股関節補助バンド２および股関節補助バンドカバーを装着することが可能となった。
【実施例３】
【００５４】図８、９に示すように、カバー本体は、幅８５００ｍｍ×高さ７０００ｍｍの１と幅４５０ｍｍ×高さ２００ｍｍのカバー補助部１´の適宜の厚みを有する二枚の布で構成され、カバー本体１の両側端上部にそれぞれ帯び状の紐３を備えている。紐３はカバー本体１の同素材の部材を縫着して構成した。【００５５】カバー本体裏面（図９）は、カバー補助部１´に上端から布を折り返した５５ｍｍの位置、左右両端から１０ｍｍの位置に、幅７０ｍｍ×高さ１７０ｍｍの布をそれぞれ上下端付近を水平方向に縫着したベルト通し部４と、カバー本体部１に上端から布を折り返した５５ｍｍの位置、右端から２００ｍｍの位置に、幅７０ｍｍ×高さ３４０ｍｍの布を二つに折った上端付近を水平方向に縫着したベルトベルト通し部４を有し、高さ１５０ｍｍの大きめの骨盤ベルトを通過させた。この骨盤ベルトのカバーは、実施例１と同様な操作で着装した。【００５６】この構造により、骨格の大きい男性にも対応できるようにした。また腰部や脚の疲労が出やすい長時間の立ち仕事においては、大き目の股関節補助バンド２を装着できるため、よりしっかりと股関節および骨盤を固定することができ、脚のむくみ、腰部付近の疲労を軽減することができ、全般的に実施例１と同様な効果を示した。
【実施例４】
【００５７】図１３に示すようにカバー本体は幅４５０ｍｍ×高さ８００ｍｍのカバー本体７と、幅３６０ｍｍ×高さ８００ｍｍのカバー本体８と、幅３６０ｍｍ×２５０ｍｍのカバー本体８´の３枚の布からなり、カバー本体７の右上端と、カバー本体８の左上端には帯び状の紐３の固定具を備えている。帯び状の紐３はカバー本体７、８および８´の同素材の布を縫着して構成した。帯び状の紐３はカバー本体１の同素材の布を縫着して構成した。【００５８】カバー本体裏面（図１３Ｂ）は、カバー本体８´に上端から布を折り返した１００ｍｍの位置、左右両端から１０ｍｍの位置に、上下端付近を水平方向に逢着した幅７０ｍｍ×高さ１７０ｍｍのベルト通し部４を有し、実施例３と同様に高さ１５０ｍｍの大きめの股関節補助バンド２を通過を許容し、実施例１と同様な操作で装着するが、装着の際、カバー本体７が上に来るように重ね合わせ、固定紐で固定する際、カバー本体８の固定紐はカバー本体７とカバー本体８´の間に設けた固定紐通過孔１８に通し固定した。これにより、作業中、カバーがずれにくくなった。カバー本体７の右上端から７０ｍｍの位置とカバー本体８の左上端から７０ｍｍの位置には幅１００ｍｍ×高さ１００ｍｍのポケット１５を有し、携帯電話などの小物を収納できるようにした。【００５９】カバー本体表面（図１３Ａ）はカバー本体８´に左上端から１０ｍｍの位置に幅１００ｍｍ×高さ１７０ｍｍのポケット１６と、カバー本体８に上端から１０ｍｍ、右端から１０ｍｍに位置に幅１５０ｍｍ×高さ１５０ｍｍのマチのある立体的なポケット１７を縫着した。【００６０】図１４Ａに示すように装着時、カバー本体７とカバー本体８が前方で重なり合い、スリットのような役割を果たした。これにより、装着中、カバーが作業を妨げることなく動くことができた。
【符号の説明】１、カバー本体
１´、カバー補助部
２、股関節補助バンド
３、固定紐
４、ベルト通し部（一重とじ）
４´、ベルト通し部（二重とじ）
５、リボン通し部
６、カバー布折り返し部
７、カバー本体（プリーツタイプ）
８、カバー本体（プリーツタイプ）
８´、カバー本体（プリーツタイプ）
９、股関節補助バンドセット用ポケット左
１０、股関節補助バンド用ポケット右
１１、すべり止め
１２、両面ファスナ
１３、プリーツ
１４、リボン
１５、ポケット（内側ウエスト）
１６、ポケット（内側ウエスト）
１７、マチ付きポケット
１８、固定紐通過孔
１９、ポケット（前方ペア）
ａ、ウエスト
ｂ、腰
ｃ、脚
【図１】
0003165039.tif 000003
【図２】
0003165039.tif 000004
【図３】
0003165039.tif 000005
【図４】
0003165039.tif 000006
【図５】
0003165039.tif 000007
【図６】
0003165039.tif 000008
【図７】
0003165039.tif 000009
【図８】
0003165039.tif 000010
【図９】
0003165039.tif 000011
【図１０】
0003165039.tif 000012
【図１１】
0003165039.tif 000013
【図１２】
0003165039.tif 000014
【図１３】
0003165039.tif 000015
【図１４】
0003165039.tif 000016
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
股関節および骨盤の矯正、及び下半身のダイエットをするために、股関節付近に巻きつけて股関節および骨盤を固定あるいは矯正する帯状の股関節補助バンドと、その股関節補助バンドを覆う装飾性布状のカバーとで構成され、伸縮性素材を使用している骨盤ベルトを、前記装飾性布状のカバーの内側に取り付けたベルト通し部に通して取着されており、前記股関節補助バンドから前記装飾性布状のカバーの取り外しを自在にできるように装飾性布状のカバーの内側にベルト通し部を設けた構造にしていることを特徴とする股関節補助具用デザイン性カバー。
【請求項２】
前記股関節補助バンドを覆う装飾性布状のカバーは、２〜５分割されて、各分割の間にはプリーツ部分を設けて、内面側に股関節補助バンドの収容部材を１〜６箇所取り付けて、装飾性布状のカバーの幅２００ｍｍ〜５００ｍｍであり、生地として綿、麻、ウール、化学繊維で、表面に装飾を施していることを特徴とする請求項１に記載の股関節補助具用デザイン性カバー。
【請求項３】
股関節補助バンドは、伸縮性のゴム帯のベルトであって、幅１００ｍｍ〜２００ｍｍで、長さ８００ｍｍ〜１３００ｍｍで、その両端に雄雌の両面ファスナを取り付けていることを特徴とする請求項１又は請求項２に記載の股関節補助具用デザイン性カバー。
【請求項４】
股関節補助バンドから前記装飾性布状のカバーの取り外しを自在にできるようにしている構造は、装飾性布状のカバーの内側の面にバンドの収容部材を、筒状に形成された部材で、一辺又は二辺で中心部付近に筒状ベルト通し部を固着して、前記筒状ベルト通し部の幅をバンドの幅より１０ｍｍ〜３０ｍｍ大きくしていることを特徴とする請求項１〜請求項３に記載の股関節補助具用デザイン性カバー。
【請求項５】
前記の股関節補助バンドに使用する装飾性布状のカバーの外側表面にデザイン性を設けるために、カバーにギャザー部、収容ポケット部、リボン部、紐部の一種、または二種以上を有した構造であることを特徴とする請求項１〜請求項４に記載の股関節補助具用デザイン性カバー。
【請求項６】
前記の股関節補助バンドに使用する装飾性布状のカバーの外側表面に機能性を持たせるために、装飾性布状のカバーの前面の下部に正方形、長方形、半円形、楕円形の布地を長さ３００ｍｍ〜５００ｍｍに取り付けた構造であることを特徴とする請求項１〜請求項４に記載の股関節補助具用デザイン性カバー。